(57)【特許請求の範囲】
【請求項１】
被収納物を収納する開口部を有する第１の筐体と、
前記第１の筐体と合わせられる第２の筐体と、
前記開口部を塞ぐ蓋体と、
前記第１の筐体と一体成形された状態で、前記第１の筐体の前記開口部の周囲と前記蓋体との間、及び前記第１の筐体と前記第２の筐体との間を封止し、かつ前記開口部に前記被収納物が収納されたときに前記被収納物の側面に接触している封止部材と、
を備えることを特徴とする電子機器。
【請求項２】
前記封止部材は、前記被収納物の側面の複数箇所において部分的に接触していることを特徴とする請求項１に記載の電子機器。
【請求項３】
前記封止部材は、前記被収納物の側面の全周または略全周にわたって接触していることを特徴とする請求項１に記載の電子機器。
【発明の詳細な説明】
【技術分野】
【０００１】
この発明は、電子機器に関する。
【背景技術】
【０００２】
従来、電子機器の封止構造として、一方の筐体にパッキン部材をインサート成形または二色成形により一体成形し、このパッキン部材に他方の筐体を押し当ててパッキン部材を圧縮することにより、筐体同士の合わせ面から電子機器の内部への浸水を防ぐものがある（例えば、特許文献１参照）。
【先行技術文献】
【特許文献】
【０００３】
【特許文献１】特開２０１１−１１９９６０号公報
【発明の概要】
【発明が解決しようとする課題】
【０００４】
しかしながら、従来の封止構造では、一方の筐体に設けられた電池収納用の開口部を塞ぐ蓋体の縁にも浸水を防ぐパッキン部材が必要になるため、パッキン部材の数が多くなり、電子機器の大型化や高価格化を招くという問題点があった。
【０００５】
小型化を図ることができる電子機器を提供することを目的とする。また、低価格化を実現できる電子機器を提供することを目的とする。
【課題を解決するための手段】
【０００６】
電子機器は、第１の筐体、第２の筐体、蓋体及び封止部材を備えている。第１の筐体は、被収納物を収納する開口部を有する。第２の筐体は、第１の筐体と合わせられる。蓋体は、第１の筐体の開口部を塞ぐ。封止部材は、二色成形により第１の筐体と一体成形されている。封止部材は、第１の筐体の開口部の周囲と蓋体との間を封止する。封止部材は、第１の筐体と第２の筐体との間を封止する。封止部材は、開口部に被収納物が収納されたときに被収納物の側面に接触可能となっている。
【発明の効果】
【０００７】
この電子機器によれば、電子機器の小型化を図ることができる。また、電子機器の低価格化を実現できる。
【図面の簡単な説明】
【０００８】
【図１】図１は、実施例にかかる電子機器を示す正面図である。
【図２】図２は、実施例にかかる電子機器を正面側から見た斜視図である。
【図３】図３は、実施例にかかる電子機器を背面側から見た斜視図である。
【図４】図４は、実施例にかかる電子機器を示す分解斜視図である。
【図５】図５は、図３において蓋体を外した様子を示す斜視図である。
【図６】図６は、封止部材が一体化された第１の筐体を示す正面図である。
【図７】図７は、封止部材が一体化された第１の筐体を示す背面図である。
【図８】図８は、封止部材が一体化された第１の筐体を正面側から見た斜視図である。
【図９】図９は、封止部材が一体化された第１の筐体を背面側から見た斜視図である。
【図１０】図１０は、図８において封止部材と第１の筐体とを別々に示す斜視図である。
【図１１】図１１は、封止部材を示す正面図である。
【図１２】図１２は、封止部材を示す背面図である。
【図１３】図１３は、封止部材を示す側面図である。
【図１４】図１４は、封止部材を背面側から見た斜視図である。
【図１５】図１５は、図１の切断線Ａ−Ａにおける断面図である。
【図１６】図１６は、図１の切断線Ｂ−Ｂにおける断面図である。
【発明を実施するための形態】
【０００９】
以下に添付図面を参照して、この電子機器の好適な実施の形態を詳細に説明する。
【００１０】
（電子機器の構成）
図１〜図５は、実施例にかかる電子機器を示す図である。図１は正面図であり、図２は正面側から見た斜視図であり、図３は背面側から見た斜視図であり、図４は分解斜視図であり、図５は図３において蓋体を外した様子を示す斜視図である。
【００１１】
図１〜図５に示すように、電子機器１は、第１の筐体２、封止部材３、第２の筐体５、蓋体６及び被収納物７を備えている。第１の筐体２には、被収納物７を収納する開口部４を有する。電子機器１は、第１の筐体２と第２の筐体５とが合わせられ、開口部４に被収納物７が収納され、開口部４が蓋体６により塞がれてできている。封止部材３は、電子機器１の内部に例えば水や水蒸気や粉塵などの電子機器１にとって好ましくないものが入るのを防いでいる。
【００１２】
第１の筐体２は、例えば複数個のネジ８によって、第１の筐体２に取り付けられる。なお、図４に示す分解斜視図においては、ネジは省略されている。蓋体６には、例えば複数個の爪部９が設けられている。一方、第１の筐体２には、例えば複数個の溝部１０が設けられている。蓋体６は、例えば各爪部９が対応する溝部１０にそれぞれ嵌まることによって、第１の筐体２に取り付けられる。
【００１３】
図６〜図９は、封止部材が一体化された第１の筐体を示す図である。図６は正面図であり、図７は背面図であり、図８は正面側から見た斜視図であり、図９は背面側から見た斜視図である。図１０は、図８において封止部材と第１の筐体とを別々に示す斜視図である。
【００１４】
図６〜図１０に示すように、封止部材３は、インサート成形により第１の筐体２と一体成形されている。封止部材３は、第１のリング部１１及び第２のリング部１２を有する（図１１〜図１４も併せて参照のこと）。
【００１５】
第１のリング部１１は、第１の筐体２の外周縁に沿う形状、例えば図示例では略矩形状に成形されている。第１のリング部１１は、第１の筐体２の外周縁に沿って第１の筐体２に設けられた封止部材形成用の凹部１３（図１０参照）に形成されており、第１の筐体２の外周縁に沿って設けられる。
【００１６】
第２のリング部１２は、開口部４の内周縁に沿う形状、例えば図示例では略矩形状に成形されている。第２のリング部１２は、開口部４の内周縁に沿って設けられる。
【００１７】
図１１〜図１４は、封止部材を抜き出して示す図である。図１１は正面図であり、図１２は背面図であり、図１３は側面図であり、図１４は背面側から見た斜視図である。
【００１８】
図１１〜図１４に示すように、封止部材３において、第１のリング部１１と第２のリング部１２とは、連結部１４により連結されている。第２のリング部１２は、例えば開口部４の深さ方向に幅を有する帯状に成形されていてもよい。インサート成形により、第２のリング部１２の帯状の部分は、開口部４の内周面に固定されていてもよい。
【００１９】
第２のリング部１２には、例えば複数の内向きの凸部１５が設けられている。凸部１５は、被収納物７の側面に接触するように形成されている。図示例のように、凸部１５は、被収納物７の四周の各側面に例えば２箇所ずつ接触するように形成されていてもよい。
【００２０】
（封止構造）
図１５は、図１の切断線Ａ−Ａにおける断面図である。図１６は、図１の切断線Ｂ−Ｂにおける断面図である。図１５及び図１６に示すように、封止部材３の第１のリング部１１は、第２の筐体５の外周縁に沿って、封止部材形成用の凹部１３と向かい合う箇所に設けられた受け部１６に接触する。それによって、第１の筐体２と第２の筐体５との間が封止される。
【００２１】
蓋体６には、蓋体６の裏側に突出する突起片１７が設けられていてもよい（図４も併せて参照のこと）。突起片１７は、蓋体６の、開口部４の内周面１８と向かい合う箇所に設けられる。封止部材３の第２のリング部１２は、突起片１７と開口部４の内周面１８との間に挟まれ、突起片１７及び開口部４の内周面１８の両方に接触する。それによって、第１の筐体２の開口部４の周囲と蓋体６との間が封止される。
【００２２】
封止部材３の凸部１５は、開口部４に収納された被収納物７の側面に接触する。それによって、開口部４の中で被収納物７ががたつくことなく、例えば四方向から支持される。凸部１５の、被収納物７の側面に接触する部分の形状は、図示例のように曲面であってもよいし、平面であってもよい。
【００２３】
なお、封止部材３が凸部１５によって部分的に被収納物７の側面に接触するのではなく、封止部材３の第２のリング部１２が被収納物７の側面の全周または略全周にわたって接触するようにしてもよい。例えば図５に示す例では、第１の筐体２から被収納物７を取り外す際に被収納物７の側面にかける指を逃がす凹部１９を除いて、被収納物７の側面の略全周にわたって封止部材３の第２のリング部１２（図５では符号１２を省略）を接触させてもよい。
【００２４】
（スマートフォンへの適用例）
電子機器１の一例として、例えば携帯電話機やスマートフォンが挙げられる。ここでは、スマートフォンに適用した例について説明する。
【００２５】
スマートフォンに適用した場合、第２の筐体５は、例えばフロントケースであってもよい。フロントケースの表側には、図１、図２、図４、図１５及び図１６に示すように、表示パネル２０やタッチパネル２１が設けられていてもよい。また、フロントケースの裏側には、回路基板２２が収納されていてもよい。
【００２６】
第１の筐体２は、例えばリアケースであってもよい。蓋体６は、例えばリアカバーであってもよい。フロントケース、リアケース及びリアカバーは、金型により成形された、ＡＢＳ樹脂やポリカーボネート樹脂などの硬質樹脂からなる部材であってもよいし、アルミニウムなどの金属からなる部材であってもよい。
【００２７】
封止部材３は、例えばポリエステル系エラストマ、スチレン系エラストマまたはオレフィン系エラストマなどの軟質樹脂からなる部材であってもよい。被収納物７は、例えば電池であってもよい。
【００２８】
実施の形態によれば、封止部材３が、第１の筐体２に対して第２の筐体５を封止するとともに、第１の筐体２の開口部４を塞ぐ蓋体６も封止するので、封止部材を別々に設けるよりも、封止部材の数が減る。従って、電子機器１の小型化を図ることができる。また、電子機器１の低価格化を実現できる。
【００２９】
また、例えばスマートフォンにおいて、スマートフォン内に収納された電池に封止部材３の第２のリング部１２が接触することによって電池のがたつきが抑えられるので、電池の耐衝撃性を向上させることができる。従って、スマートフォンに振動や落下などによる衝撃が加わっても、電池が破損するのを防ぐことができる。
【００３０】
なお、電子機器１は、スマートフォンに限らない。電子機器１は、例えば携帯電話機、コンピュータ、ＰＤＡ（Ｐｅｒｓｏｎａｌ  Ｄｉｇｉｔａｌ  Ａｓｓｉｓｔａｎｔｓ）などの携帯情報端末、または種々の測定器など、封止部材によって筐体同士を封止するとともに、開口部を塞ぐ蓋体も封止する構造を有する電子機器であってもよい。また、被収納物７は、電池に限らない。被収納物７は、例えばハードディスクドライブ装置のように、耐衝撃性を必要とする装置であってもよい。
【００３１】
上述した実施例に関し、さらに以下の付記を開示する。
【００３２】
（付記１）被収納物を収納する開口部を有する第１の筐体と、前記第１の筐体と合わせられる第２の筐体と、前記開口部を塞ぐ蓋体と、二色成形により前記第１の筐体と一体成形され、前記第１の筐体の前記開口部の周囲と前記蓋体との間、及び前記第１の筐体と前記第２の筐体との間を封止し、かつ前記開口部に前記被収納物が収納されたときに前記被収納物の側面に接触可能な封止部材と、を備えることを特徴とする電子機器。
【００３３】
（付記２）前記封止部材は、前記被収納物の側面の複数箇所において部分的に接触可能であることを特徴とする付記１に記載の電子機器。
【００３４】
（付記３）前記封止部材は、前記被収納物の側面の全周または略全周にわたって接触可能であることを特徴とする付記１に記載の電子機器。
【００３５】
（付記４）第１の筐体と、前記第１の筐体と合わせられる第２の筐体との間、及び前記第１の筐体に設けられた開口部の周囲と、前記開口部を塞ぐ蓋体との間、を封止部材により封止し、かつ前記封止部材が、前記開口部に収納された被収納物の側面に接触することを特徴とする封止構造。
【００３６】
（付記５）前記封止部材は、前記被収納物の側面の複数箇所において部分的に接触することを特徴とする付記４に記載の封止構造。
【００３７】
（付記６）前記封止部材は、前記被収納物の側面の全周または略全周にわたって接触することを特徴とする付記４に記載の封止構造。
【符号の説明】
【００３８】
１  電子機器
２  第１の筐体
３  封止部材
４  開口部
５  第２の筐体
６  蓋体
７  被収納物
【図１】
0005857819.tif 000002
【図２】
0005857819.tif 000003
【図３】
0005857819.tif 000004
【図４】
0005857819.tif 000005
【図５】
0005857819.tif 000006
【図６】
0005857819.tif 000007
【図７】
0005857819.tif 000008
【図８】
0005857819.tif 000009
【図９】
0005857819.tif 000010
【図１０】
0005857819.tif 000011
【図１１】
0005857819.tif 000012
【図１２】
0005857819.tif 000013
【図１３】
0005857819.tif 000014
【図１４】
0005857819.tif 000015
【図１５】
0005857819.tif 000016
【図１６】
0005857819.tif 000017